(57)【要約】【課題】ＩＣチップやアナログ回路から有線でデータを読み出す方式に比べて、回路構成の複雑化を避けるとともに、セキュリティ面や寄生容量による影響面で有利な非接触ＩＣカード及び非接触通信装置を提供する。【解決手段】表示ディスプレイ１０８を備えた非接触ＩＣカード１００であって、第１のアンテナ１０１、第１のアンテナ１０１を介して通信を行う非接触通信ＩＣチップ１０２、第２のアンテナ１０３、非接触通信ＩＣチップ１０４、表示制御ＬＳＩ１０６を備え、第１のアンテナ１０１を介して非接触通信ＩＣチップ１０２が外部から受信したデータを、第１のアンテナ１０１及び第２のアンテナ１０３を介して受信して、表示ディスプレイ１０８に表示するための表示データとする。【選択図】図１
2011060121.tif 000002
【特許請求の範囲】
【請求項１】
表示手段を備えた非接触ＩＣカードであって、
第１のアンテナと、
前記第１のアンテナを介して通信を行う第１の通信手段と、
第２のアンテナと、
前記第１のアンテナを介して前記第１の通信手段が外部から受信したデータを、前記第１のアンテナ及び前記第２のアンテナを介して受信して、前記表示手段に表示するための表示データとする制御手段とを備えたことを特徴とする非接触ＩＣカード。
【請求項２】
前記表示手段及び前記制御手段に電源供給する電源を内蔵したことを特徴とする請求項１に記載の非接触ＩＣカード。
【請求項３】
前記第１のアンテナ及び前記第２のアンテナを介して前記第１の通信手段から受信したデータを表示データに変換するための変換用データを記憶する記憶手段を備え、
前記記憶手段に記憶する変換用データは、前記制御手段による制御下で、前記第２のアンテナを介して外部から受信することにより書き換え可能であることを特徴とする請求項１又は２に記載の非接触ＩＣカード。
【請求項４】
前記第１のアンテナを介して前記第１の通信手段が外部から受信したデータは暗号化されており、
前記制御手段は、前記暗号化されたデータを復号化することを特徴とする請求項１乃至３のいずれか１項に記載の非接触ＩＣカード。
【請求項５】
前記第１のアンテナ及び前記第１の通信手段である集積回路が設けられた第１の薄膜と、
前記第２のアンテナ及び前記制御手段である集積回路が少なくとも設けられた第２の薄膜とが隔離された状態で内蔵されることを特徴とする請求項１乃至４のいずれか１項に記載の非接触ＩＣカード。
【請求項６】
表示手段を備えた非接触通信装置であって、
第１のアンテナと、
前記第１のアンテナを介して通信を行う第１の通信手段と、
第２のアンテナと、
前記第１のアンテナを介して前記第１の通信手段が外部から受信したデータを、前記第１のアンテナ及び前記第２のアンテナを介して受信して、前記表示手段に表示するための表示データとする制御手段とを備えたことを特徴とする非接触通信装置。
【発明の詳細な説明】
【技術分野】
【０００１】
本発明は、表示手段を備えた非接触ＩＣカード及び携帯電話等の非接触通信装置に関する。
【背景技術】
【０００２】
ＩＣカードは、磁気カード等に比べて記憶容量が大きく、機密性や安全性に優れているといった理由から、多種多様な分野において利用されている。ＩＣカードを利用するに際し、その内部に記憶されている電子的なデータをどのようにして可視化するかが一つの重要な課題となっている。
【０００３】
特許文献１には、表示器付非接触ＩＣカードが提案されており、ＩＣカード部のメモリ部に格納されているＩＣカード情報をインターフェイスを介して授受した後、表示コントロール部で表示用データに変換し、表示器にＩＣカード情報を直接表示することが開示されている。
【０００４】
また、特許文献２には、表示機能付ＩＣカードが提案されており、ＩＣカードに於いてＩＣカード内のＩＣチップメモリー内容を表示する為のＬＣＤ又はＬＥＤ表示装置を付設すること、さらにＩＣカードの保持者に対し、情報通信メッセージを受信する為のアンテナ回路を保有することが開示されている。
【先行技術文献】
【特許文献】
【０００５】
【特許文献１】特開２００１−５９２７号公報
【特許文献２】特開２０００−３３９４２９号公報
【発明の概要】
【発明が解決しようとする課題】
【０００６】
特許文献１、２では、データ（ＩＣカード情報やＩＣチップメモリー内容）を表示するために、このデータをＩＣチップ（ＩＣカード部やＩＣチップメモリー）から有線で読み出す方式となっている。
【０００７】
しかしながら、ＩＣカードで取り扱うデータは電子バリュー等の重要なデータであって、そのセキュリティを厳格に維持する必要がある。セキュリティの観点からいえば、ＩＣチップへのアクセスは最低限必要な構成要素やタイミングに限定すべきであり、ＩＣチップから有線でデータを読み出し可能とすることはセキュリティ上も好ましくない。また、データをＩＣチップから有線で読み出すためには、ＩＣチップが有線出力端子を持つ必要がある。
【０００８】
ＩＣチップが有線出力端子を持たない場合は、アンテナを含むアナログ回路からデータを読み出す機能が必要となり、回路構成が複雑になってしまう。また、アナログ回路からデータを読み出す場合は、寄生容量による影響を受けやすくなってしまう。
【０００９】
本発明は上記のような点に鑑みてなされたものであり、ＩＣチップやアナログ回路から有線でデータを読み出す方式に比べて、回路構成の複雑化を避けるとともに、セキュリティ面や寄生容量による影響面で有利な非接触ＩＣカード及び非接触通信装置を提供することを目的とする。
【課題を解決するための手段】
【００１０】
本発明の非接触ＩＣカードは、表示手段を備えた非接触ＩＣカードであって、第１のアンテナと、前記第１のアンテナを介して通信を行う第１の通信手段と、第２のアンテナと、前記第１のアンテナを介して前記第１の通信手段が外部から受信したデータを、前記第１のアンテナ及び前記第２のアンテナを介して受信して、前記表示手段に表示するための表示データとする制御手段とを備えたことを特徴とする。
また、本発明の非接触ＩＣカードの他の特徴とするところは、前記表示手段及び前記制御手段に電源供給する電源を内蔵した点にある。
また、本発明の非接触ＩＣカードの他の特徴とするところは、前記第１のアンテナ及び前記第２のアンテナを介して前記第１の通信手段から受信したデータを表示データに変換するための変換用データを記憶する記憶手段を備え、前記記憶手段に記憶する変換用データは、前記制御手段による制御下で、前記第２のアンテナを介して外部から受信することにより書き換え可能である点にある。
また、本発明の非接触ＩＣカードの他の特徴とするところは、前記第１のアンテナを介して前記第１の通信手段が外部から受信したデータは暗号化されており、前記制御手段は、前記暗号化されたデータを復号化する点にある。
また、本発明の非接触ＩＣカードの他の特徴とするところは、前記第１のアンテナ及び前記第１の通信手段である集積回路が設けられた第１の薄膜と、前記第２のアンテナ及び前記制御手段である集積回路が少なくとも設けられた第２の薄膜とが隔離された状態で内蔵される点にある。
本発明の非接触通信装置は、表示手段を備えた非接触通信装置であって、第１のアンテナと、前記第１のアンテナを介して通信を行う第１の通信手段と、第２のアンテナと、前記第１のアンテナを介して前記第１の通信手段が外部から受信したデータを、前記第１のアンテナ及び前記第２のアンテナを介して受信して、前記表示手段に表示するための表示データとする制御手段とを備えたことを特徴とする。
【発明の効果】
【００１１】
本発明によれば、ＩＣチップやアナログ回路から有線でデータを読み出す方式に比べて、回路構成の複雑化を避けるとともに、セキュリティ面や寄生容量による影響面で有利な非接触ＩＣカード及び非接触通信装置を提供することができる。また、第１のアンテナと第１の通信手段とは、例えば既存の非接触ＩＣカードに内蔵されているものをそのまま用いることも可能であり、その場合はコスト的にも有利となる。
【図面の簡単な説明】
【００１２】
【図１】第１の実施形態に係る非接触ＩＣカードの構成を示すブロック図である。
【図２】第１の実施形態に係る非接触ＩＣカードの構成を示す分解斜視図である。
【図３】非接触ＩＣカードでのデータ読取時及び表示維持時の処理動作を示すフローチャートである。
【図４】データ読取時における非接触ＩＣカードの内部状態を示す図である。
【図５】表示維持時における非接触ＩＣカードの内部状態を示す図である。
【図６】データ読取時及び表示維持時における表示制御ＬＳＩの機能を説明するための図である。
【図７】外部Ｒ／Ｗ通信時における非接触ＩＣカードの内部状態を示す図である。
【図８】外部Ｒ／Ｗ通信時の電源ＯＮ時における非接触ＩＣカードの内部状態を示す図である。
【図９】電源ＯＮ時の処理動作を示すフローチャートである。
【図１０】データ更新時における非接触ＩＣカードの内部状態を示す図である。
【図１１】データ更新時の処理動作を示すフローチャートである。
【図１２】データ更新フラグの書き換えを説明するための図である。
【図１３】表示ディスプレイの表示例を示す図である。
【図１４】第２の実施形態に係る非接触通信装置に装着される外部メモリの構成を示す図である。
【発明を実施するための形態】
【００１３】
以下、添付図面を参照して、本発明の好適な実施形態について説明する。
＜第１の実施形態＞
図１は、本実施形態に係る非接触ＩＣカード１００の構成を示すブロック図である。本実施形態では、Ｓｕｉｃａ（登録商標）等のように主に交通機関で利用される非接触ＩＣカード１００を例にして説明する。非接触ＩＣカード１００は駅務機器等の外部機器４００（図７を参照）と無線通信を行うとともに、電子バリュー（例えば定期券情報、乗車券や特急券等のデジタルチケット情報、ストアードフェア（ＳＦ）の利用履歴や残額情報）を書き換え可能に記憶する。
【００１４】
図１に示すように、非接触ＩＣカード１００は、ループコイルからなる第１のアンテナ１０１と、第１のアンテナ１０１を介して通信を行う非接触通信ＩＣチップ１０２とを備える。非接触ＩＣカード１００を外部機器４００にかざすことにより（図７を参照）、非接触通信ＩＣチップ１０２が第１のアンテナ１０１を介して電磁誘導方式の無線通信を行い、外部機器４００からデータ（電子バリュー）を受信して所定の記憶領域に書き込む。以下、この機能を外部Ｒ／Ｗ（リーダ／ライタ）通信機能と称する。
【００１５】
また、非接触ＩＣカード１００は、ループコイルからなる第２のアンテナ１０３と、非接触通信ＩＣチップ１０４と、アンテナ１０３と非接触通信ＩＣチップ１０４との間に配置されたスイッチ１０５と、メモリ１０６ａを備えた表示制御ＬＳＩ１０６と、表示用ドライバ１０７と、表示ディスプレイ１０８と、電源１０９と、非接触通信ＩＣチップ１０４を駆動させるのに必要な振動子等の周辺回路１１０とを備える。非接触通信ＩＣチップ１０２が外部機器４００から受信したデータ（電子バリュー）を、表示制御ＬＳＩ１０６の制御下で、第１のアンテナ１０１及び第２のアンテナ１０３を介して受信し、表示ディスプレイ１０８に表示する。以下、この機能をデータ読取・表示機能と称する。
【００１６】
図２は、本実施形態に係る非接触ＩＣカード１００の構成を示す分解斜視図である。カード本体２００には、表面及び裏面にそれぞれ収容凹部２００ａが形成されている（図２では裏面側の収容凹部２００ａは図示されない）。
【００１７】
裏面側の収容凹部には、第１のアンテナ１０１、非接触通信ＩＣチップ１０２が設けられた第１の薄膜２０１が収容される。この第１の薄膜２０１は、実用化されている既存のＳｕｉｃａ（登録商標）等の非接触ＩＣカードに内蔵されているものをそのまま用いればよく、その場合コスト的にも有利となる。また、表面側の収容凹部２００ａには、第２のアンテナ１０３、非接触通信ＩＣチップ１０４、スイッチ１０５、表示制御ＬＳＩ１０６（メモリ１０６ａを含む）、表示用ドライバ１０７、表示ディスプレイ１０８、周辺回路１１０（図２では不図示）が設けられた第２の薄膜２０２が収容される。収容凹部２００ａには、第２の薄膜２０２とともに電源１０９であるボタン電池も収容される。すなわち、非接触ＩＣカード１００には、第１の薄膜２０１と第２の薄膜２０２とが隔離された状態で内蔵される。
【００１８】
カード本体２００の裏面には裏面カバー２０３が設けられる。また、カード本体２００の表面には表面カバー２０４が設けられ、この表面カバー２０４には表示ディスプレイ１０８用の窓２０５や、電源ＯＮ／ＯＦＦを含む各種操作を行うための操作部２０６が配設される。操作部２０６はメンブレンスイッチやセンサー式のスイッチ等、その方式、数、形状等は問わない。また、表面カバー２０４には、具体的には図示しないが、電池交換用の蓋が設けられる。
【００１９】
このように外部Ｒ／Ｗ通信機能用の第１の薄膜２０１と、データ読取・表示機能用の第２の薄膜２０２とを別々にし、わずかに離間させて上下に配置することにより、非接触ＩＣカード１００の薄型化が可能であるとともに量産性に優れる。外部Ｒ／Ｗ通信機能用の第１の薄膜２０１は、既存のＳｕｉｃａ（登録商標）等の非接触ＩＣカードに用いられているものをそのまま使用すればよい。
【００２０】
以下、本実施形態に係る非接触ＩＣカード１００を以下の３動作状態に分けて、それぞれの機能と内部状態について説明する。
動作状態１−１：データ読取時
動作状態１−２：表示維持時
動作状態２    ：外部Ｒ／Ｗ通信時
動作状態３    ：データ更新時
【００２１】
（動作状態１−１、１−２の説明）
図３には、非接触ＩＣカード１００でのデータ読取時及び表示維持時の処理動作を示す。操作部２０６の所定の操作があると、初期状態から動作状態１−１に遷移する。動作状態１−１では、操作部２０６の操作により電源ＯＮになると（ステップＳ１０１）、表示制御ＬＳＩ１０６は電池残量を確認する（ステップＳ１０２）。そして、電池残量に問題がなければ、表示制御ＬＳＩ１０６は、第１のアンテナ１０１及び第２のアンテナ１０３を介して非接触通信ＩＣチップ１０２からデータ読取を行い（ステップＳ１０３）、非接触通信ＩＣチップ１０４でデジタル信号に変換した読取データをメモリ１０６ａに保存する（ステップＳ１０４）。なお、ステップＳ１０２において電池残量不足によりデータ読取不可とされた場合、電池残量不足である旨を表示する等した上で電源ＯＦＦとする。また、一定時間無操作の場合、初期状態（電源ＯＦＦ）に自動遷移する。
【００２２】
動作状態１−１の処理が終わると、動作状態１−２に自動遷移する。動作状態１−２では、動作状態１−１において非接触通信ＩＣチップ１０２から読み取った読取データを表示データに変換して、表示ディスプレイ１０８に表示する。動作状態１−２では、操作部２０６の操作により、例えばチケット表示（ステップＳ２０１）、定期券表示（ステップＳ２０２）、履歴表示（ステップＳ２０３）、フリーデータ表示（ステップＳ２０４）のように表示を切り替える。例えば操作部２０６に含まれる進むボタンの操作により次画面に進み、戻るボタンの操作により前画面に戻る仕組みとなっている。また、一定時間無操作の場合、初期状態（電源ＯＦＦ）に自動遷移する。
【００２３】
ここで、データ読取時及び表示維持時における非接触ＩＣカード１００の内部状態を説明する。操作部２０６の操作により電源ＯＮになると、表示制御ＬＳＩ１０６は、電源１０９から電源供給を受けて、スイッチ１０５の接続／非接続を制御するとともに、必要に応じて各部への電源供給／非供給を制御する。
【００２４】
図４に、データ読取時における非接触ＩＣカード１００の内部状態を示す。このとき、電源１０９から周辺回路１１０を介して表示制御ＬＳＩ１０６に電源供給され、表示制御ＬＳＩ１０６の制御下で、スイッチ１０５を接続状態とするとともに、非接触通信ＩＣチップ１０４、表示用ドライバ１０７及び表示ディスプレイ１０８に電源供給する。また、非接触通信ＩＣチップ１０２は、第１のアンテナ１０１と第２のアンテナ１０３との間で電磁誘導方式により得られる電力で駆動する。
【００２５】
この状態で、表示制御ＬＳＩ１０６は、非接触通信ＩＣチップ１０２から第１のアンテナ１０１及び第２のアンテナ１０３を介してデータ読取を行うよう制御する。そして、非接触通信ＩＣチップ１０４でデジタル信号に変換した読取データをメモリ１０６ａに保存するとともに、読取データを表示データに変換して、表示用ドライバ１０７を介して表示ディスプレイ１０８に表示する。
【００２６】
また、図５に、表示維持時における非接触ＩＣカード１００の内部状態を示す。このとき、電源１０９から周辺回路１１０を介して表示制御ＬＳＩ１０６に電源供給され、表示制御ＬＳＩ１０６の制御下で、スイッチ１０５を非接続状態とするとともに、表示用ドライバ１０７及び表示ディスプレイ１０８に電源供給するが、非接触通信ＩＣチップ１０４には電源供給せずスリープ状態とする。
【００２７】
この状態で、表示制御ＬＳＩ１０６は、操作部２０６の操作に応じて、メモリ１０６ａに保存されている読取データを表示データに変換して、表示用ドライバ１０７を介して表示ディスプレイ１０８に表示する。
【００２８】
次に、図６を参照して、データ読取時及び表示維持時における表示制御ＬＳＩ１０６の機能を説明する。図６では、非接触通信ＩＣチップ１０２からデータとして定期券や新幹線チケットを読み取る例を示す。
【００２９】
表示制御ＬＳＩ１０６は、非接触通信ＩＣチップ１０４からデータ読取コマンド３０１を第２のアンテナ１０３及び第１のアンテナ１０１を介して非接触通信ＩＣチップ１０２に送出する。
【００３０】
また、表示制御ＬＳＩ１０６は、データ読取コマンド３０１により非接触通信ＩＣチップ１０２から読み取った読取データを演算する。具体的には、読取データ、すなわち第１のアンテナ１０１を介して非接触通信ＩＣチップ１０２が外部から受信するデータは暗号化されているので、それを復号化する演算処理を行う。
【００３１】
また、表示制御ＬＳＩ１０６は、複号化した読取データを表示ディスプレイ１０８に表示するための文字データ等を含む表示データに変換し、所定のレイアウトに配置した上で、表示用ドライバ１０７に送出する。メモリ１０６ａには、読取データを表示データに変換するための変換用データが記憶されている。変換用データとして、例えば駅コードテーブル３０２、画像データテーブル３０３、任意の文字を表示するためのデータを保存するフリーデータテーブル３０４、フォントデータテーブル３０５がある。例えば読取データに含まれる駅コードが駅コードテーブル３０２に基づいて駅名（文字データ）に変換される。
【００３２】
図１３（ａ）〜（ｃ）には、表示ディスプレイ１０８に表示される定期券情報、デジタルチケット情報（指定席特急券）、ＳＦの利用履歴情報の例を示す。
【００３３】
非接触通信ＩＣチップ１０２からのデータ読取においては、スキミング防止のために、非接触通信ＩＣチップ１０２には特定のＩＤを有するＩＣチップ（非接触通信ＩＣチップ１０４）のみがアクセス可能とし、他のＩＣチップはアクセスできないようにする。
【００３４】
（動作状態２の説明）
図７に、外部Ｒ／Ｗ通信時における非接触ＩＣカード１００の内部状態を示す。本実施形態に係る非接触ＩＣカード１００では、外部Ｒ／Ｗ通信機能とデータ読取・表示機能とが独立しており、電源ＯＦＦの状態で、既存の非接触ＩＣカードと同様に外部Ｒ／Ｗ通信を行うことができる。すなわち、電源ＯＦＦの状態で、非接触ＩＣカード１００を駅務機器等の外部機器４００にかざすと、非接触通信ＩＣチップ１０２が第１のアンテナ１０１を介して電磁誘導方式の無線通信を行い、外部機器４００からデータ（電子バリュー）を受信して所定の記憶領域に書き込む。このとき、非接触通信ＩＣチップ１０２は、外部機器４００と第１のアンテナ１０１との間で電磁誘導方式により得られる電力で駆動する。
【００３５】
ここで、外部Ｒ／Ｗ通信時に操作部２０６の操作により電源ＯＮにされても、外部Ｒ／Ｗ通信を優先するものとし、データ読取・表示機能は動作しないようになっている。図８に、外部Ｒ／Ｗ通信時の電源ＯＮ時における非接触ＩＣカード１００の内部状態を示す。また、図９に、電源ＯＮ時の処理動作を示す。非接触通信ＩＣチップ１０４は磁界検知機能を有しており、表示制御ＬＳＩ１０６は、電源ＯＮ時に（ステップＳ３０１）、非接触通信ＩＣチップ１０４により磁界検知する（ステップＳ３０２）。その結果、非接触通信ＩＣチップ１０４により磁界検知されたならば、すなわち外部Ｒ／Ｗ通信時であるならば、表示用ドライバ１０７及び表示ディスプレイ１０８に電源供給せずスリープ状態とする（ステップＳ３０３）。すなわち、図８に示すように、表示制御ＬＳＩ１０６の制御下で、スイッチ１０５を非接続状態とするとともに、表示用ドライバ１０７及び表示ディスプレイ１０８に電源供給せずスリープ状態とする。ユーザから見れば、外部Ｒ／Ｗ通信時に操作ボタン２０７を操作して電源ＯＮにしても、非接触ＩＣカード１００のデータ読取・表示機能はＯＦＦのままとなる。
【００３６】
また、上述したデータ読取時及び表示維持時（動作状態１−１、１−２）においても、外部Ｒ／Ｗ通信を優先する。すなわち、データ読取時や表示維持時に、非接触通信ＩＣチップ１０４により磁界検知されたならば、表示制御ＬＳＩ１０６は、データ読取・表示維持を中止し、外部Ｒ／Ｗ通信を行うように制御する。
【００３７】
（動作状態３の説明）
本実施形態に係る非接触ＩＣカード１００では、メモリ１０６ａに変換用データが記憶されているが、それら変換用データに変更があった場合、データ更新を行うことができる。データ更新は、更新ツールであるパーソナルコンピュータ５００主導により実施され、ユーザによる操作なしに自動で実行される。
【００３８】
パーソナルコンピュータ５００は、変換用データのデータ更新を行う更新部５０１と、Ｒ／Ｗドライバ５０２とを備え、Ｒ／Ｗ５０３が接続されている。本実施形態に係る非接触ＩＣカード１００では、電源ＯＦＦの状態で、非接触ＩＣカード１００をパーソナルコンピュータ５００に接続されたＲ／Ｗ５０３にかざすことにより、変換用データのデータ更新を行うことができる。
【００３９】
図１０に、データ更新時における非接触ＩＣカード１００の内部状態を示す。電源ＯＦＦの状態で、非接触ＩＣカード１００をパーソナルコンピュータ５００に接続されたＲ／Ｗ５０３にかざすと、表示制御ＬＳＩ１０６が第２のアンテナ１０３を介して電磁誘導方式の無線通信を行い、パーソナルコンピュータ５００から最新の変換用データを受信してメモリ１０６ａにある古い変換用データを書き換える。このとき、非接触通信ＩＣチップ１０４及び表示制御ＬＳＩ１０６は、Ｒ／Ｗ５０３と第２のアンテナ１０３との間で電磁誘導方式により得られる電力又は一次電池にて駆動する。
【００４０】
非接触ＩＣカード１００では、メモリ１０６ａに記憶されている変換用データをフラグにより管理している。図１２を参照して、データ更新フラグの書き換えを説明する。表示制御ＬＳＩ１０６はフラグが立っている（図中「１」）のテーブル３０２〜３０５を必ず参照するものとする。図１２に示すように、あるテーブルについて古いテーブルＡ、新しいテーブルＢが存在するとした場合、データ更新前やデータ更新中（未了も含む）であればＡが「１」で、Ｂが「０」となっており、データ更新が完了すればＡが「０」で、Ｂが「１」となる。
【００４１】
図１１に、データ更新時の処理動作を示す。表示制御ＬＳＩ１０６は、データ更新実行時に（ステップＳ４０１）、パーソナルコンピュータ５００からデータ更新完了通知を受けると（ステップＳ４０２）、図１２に示したようにフラグを立てる（ステップＳ４０３）。データ更新実行中に非接触ＩＣカード１００をＲ／Ｗ５０３から遠ざける等して未了が発生した場合は、パーソナルコンピュータ５００からエラー通知を受けて、フラグの書き換えは行わない。
【００４２】
以上述べたように、第１のアンテナ１０１を介して非接触通信ＩＣチップ１０２が外部から受信したデータを、第１のアンテナ１０１及び第２のアンテナ１０３を介して受信して、表示ディスプレイ１０８に表示するための表示データとするようにしたので、ＩＣチップやアナログ回路から有線でデータを読み出す方式に比べて、回路構成の複雑化を避けるとともに、セキュリティ面や寄生容量による影響面で有利な非接触ＩＣカードを提供することができる。
【００４３】
以上、本発明を種々の実施形態と共に説明したが、本発明はこれらの実施形態にのみ限定されるものではなく、本発明の範囲内で変更等が可能である。上記実施形態では、主に交通機関で利用される非接触ＩＣカード１００を例にしたが、その用途は限定されるものではない。
【００４４】
また、上記実施形態では、非接触通信ＩＣチップ１０４及び表示制御ＬＳＩ１０６が制御手段として機能するが、両者を同一の集積回路として構成してもよい。また、表示制御ＬＳＩ１０６がメモリ１０６ａを有する構成を説明したが、メモリを別途設けるようにしてもかまわない。
【００４５】
また、表示ディスプレイ１０８の種類は限定されるものではないが、表示維持中の消費電力が抑えられるディスプレイ、例えば各画素にメモリを搭載して画像データを保持する液晶ディスプレイや電子ペーパ等を用いるのが好適である。
【００４６】
なお、本発明の非接触ＩＣカードは、例えば外形や厚み等の寸法、曲げ特性等の点でＪＩＳ規格に準拠するものに限定されるものではない。すなわち、本発明でいう「カード」は広く「薄板状のもの」を意味するものとする。
【００４７】
＜第２の実施形態＞
近年では、上述したような非接触ＩＣカードの機能を携帯電話等の非接触通信装置に持たせることもなされている。以下では、第２の実施形態として、本発明を非接触通信装置に適用した例を説明する。
【００４８】
本発明を非接触通信装置に適用する場合も、非接触通信装置の構成は図１と同様となる。すなわち、非接触通信装置は、ループコイルからなる第１のアンテナ１０１と、第１のアンテナ１０１を介して通信を行う非接触通信ＩＣチップ１０２とを備え、外部Ｒ／Ｗ（リーダ／ライタ）通信機能を有する。また、非接触通信装置は、ループコイルからなる第２のアンテナ１０３と、非接触通信ＩＣチップ１０４と、アンテナ１０３と非接触通信ＩＣチップ１０４との間に配置されたスイッチ１０５と、メモリ１０６ａを備えた表示制御ＬＳＩ１０６と、表示用ドライバ１０７と、表示ディスプレイ１０８と、電源１０９と、非接触通信ＩＣチップ１０４を駆動させるのに必要な振動子等の周辺回路１１０とを備え、データ読取・表示機能を有する。
【００４９】
この場合に、図１４に示すように、非接触通信装置に装着されるＳＤカード（登録商標）等の外部メモリ２００に、第１のアンテナ１０１と、非接触通信ＩＣチップ１０２とを備えるようにしてもよい。この外部メモリ２００を装着した非接触通信装置を外部機器４００にかざすことにより、非接触通信ＩＣチップ１０２が第１のアンテナ１０１を介して電磁誘導方式の無線通信を行い、外部機器４００からデータ（電子バリュー）を受信して所定の記憶領域に書き込む。
【００５０】
なお、本実施形態に係る非接触通信装置の動作状態は、第１の実施形態で述べた動作状態１−１、１−２、２、３と同様であり、ここではその説明は省略する。
【符号の説明】
【００５１】
１００：非接触ＩＣカード
１０１：第１のアンテナ
１０２：非接触通信ＩＣチップ
１０３：第２のアンテナ
１０４：非接触通信ＩＣチップ
１０５：スイッチ
１０６：表示制御ＬＳＩ
１０６ａ：メモリ
１０７：表示用ドライバ
１０８：表示ディスプレイ
１０９：電源
１１０：周辺回路
２００：外部メモリ
【図１】
2011060121.tif 000003
【図２】
2011060121.tif 000004
【図３】
2011060121.tif 000005
【図４】
2011060121.tif 000006
【図５】
2011060121.tif 000007
【図６】
2011060121.tif 000008
【図７】
2011060121.tif 000009
【図８】
2011060121.tif 000010
【図９】
2011060121.tif 000011
【図１０】
2011060121.tif 000012
【図１１】
2011060121.tif 000013
【図１２】
2011060121.tif 000014
【図１３】
2011060121.tif 000015
【図１４】
2011060121.tif 000016